(57)【要約】【課題】額縁の溝部に容易に固定できる吊り具を提供する。【解決手段】吊り具５は、額縁１の溝部７の一方側部分に固定する本体部21を備える。本体部21の端部には、額縁１の溝部７の他方側部分に固定する回動操作部22を折曲部23を介して回動可能に設ける。回動操作部22の一方向への回動に基づいて回動操作部22が本体部21に圧着すると、本体部21および回動操作部22は溝部７に対して固定状態となる。回動操作部22の他方向への回動に基づいて回動操作部22の本体部21への圧着を解除すると、本体部21および回動操作部22は溝部７に対して非固定状態となる。【選択図】図１
2014121433.tif 000002
【特許請求の範囲】
【請求項１】
溝部を有する額縁を吊り下げる際に用いられる吊り具であって、
前記溝部に解除可能に固定される本体部と、
この本体部に対して回動可能となっており、前記溝部に解除可能に固定される回動操作部とを備え、
前記回動操作部の一方向への回動に基づいて前記回動操作部が前記本体部に圧着すると、前記本体部および前記回動操作部が前記溝部に固定され、
前記回動操作部の他方向への回動に基づいて前記回動操作部の前記本体部への圧着が解除されると、前記本体部および前記回動操作部の前記溝部への固定が解除される
ことを特徴とする吊り具。
【請求項２】
回動操作部は、折り曲げ可能な折曲部を介して本体部に回動可能に設けられている
ことを特徴とする請求項１記載の吊り具。
【請求項３】
回動操作部は、指を掛ける指掛部分を有する
ことを特徴とする請求項１または２記載の吊り具。
【請求項４】
回動操作部は、係合部分を有し、
本体部は、前記係合部分との係合により前記回動操作部の他方向への回動を規制する係合受け部分を有する
ことを特徴とする請求項１ないし３のいずれか一記載の吊り具。
【発明の詳細な説明】
【技術分野】
【０００１】
本発明は、額縁の溝部に容易に固定できる吊り具に関するものである。
【背景技術】
【０００２】
従来、例えば特許文献１に記載された額吊り金具である吊り具が知られている。
【０００３】
この従来の吊り具は、紐状部材である吊紐を通す紐掛け部と、この紐掛け部の一端部に設けられ額縁の溝部と係合する第１の係合片と、紐掛け部の他端部に設けられビス孔が形成された固定片と、この固定片の先端部に第１の係合片と離間対向するように設けられた第２の係合片とを備えている。
【０００４】
そして、互いに離間対向する第１の係合片および第２の係合片を額縁の溝部に係合させ、固定片を額縁の溝部にビス止めにより固定した後、紐掛け部に吊紐を通すことによって、額縁を壁面等に吊り下げることが可能となる。
【先行技術文献】
【特許文献】
【０００５】
【特許文献１】特開平９−２５２９０２号公報
【発明の概要】
【発明が解決しようとする課題】
【０００６】
しかしながら、上記従来の吊り具では、例えばドライバー等の工具でビスを回して固定片を額縁の溝部に固定しなければならないため、この固定作業に手間取るおそれがある。
【０００７】
本発明は、このような点に鑑みなされたもので、額縁の溝部に容易に固定できる吊り具を提供することを目的とする。
【課題を解決するための手段】
【０００８】
請求項１記載の吊り具は、溝部を有する額縁を吊り下げる際に用いられる吊り具であって、前記溝部に解除可能に固定される本体部と、この本体部に対して回動可能となっており、前記溝部に解除可能に固定される回動操作部とを備え、前記回動操作部の一方向への回動に基づいて前記回動操作部が前記本体部に圧着すると、前記本体部および前記回動操作部が前記溝部に固定され、前記回動操作部の他方向への回動に基づいて前記回動操作部の前記本体部への圧着が解除されると、前記本体部および前記回動操作部の前記溝部への固定が解除されるものである。
【０００９】
請求項２記載の吊り具は、請求項１記載の吊り具において、回動操作部は、折り曲げ可能な折曲部を介して本体部に回動可能に設けられているものである。
【００１０】
請求項３記載の吊り具は、請求項１または２記載の吊り具において、回動操作部は、指を掛ける指掛部分を有するものである。
【００１１】
請求項４記載の吊り具は、請求項１ないし３のいずれか一記載の吊り具において、回動操作部は、係合部分を有し、本体部は、前記係合部分との係合により前記回動操作部の他方向への回動を規制する係合受け部分を有するものである。
【発明の効果】
【００１２】
本発明によれば、ドライバー等の工具を使用することなく、吊り具を額縁の溝部に容易に固定できる。
【図面の簡単な説明】
【００１３】
【図１】本発明の一実施の形態に係る吊り具および額縁の溝部の一部を示す斜視図である。
【図２】同上吊り具の斜視図である。
【図３】同上吊り具の斜視図である。
【図４】同上吊り具の一部が額縁の溝部内に挿入された状態を示す図で、（ａ）が斜視図であり、（ｂ）が側面図である。
【図５】同上吊り具が額縁の溝部に固定された状態を示す図で、（ａ）が斜視図であり、（ｂ）が側面図である。
【図６】同上吊り具の使用状態を示す斜視図である。
【発明を実施するための形態】
【００１４】
本発明の一実施の形態について図面を参照して説明する。
【００１５】
図６において、１は額縁で、この額縁１は、矩形環状をなす例えばアルミニウム製の外枠体である額縁本体２と、この額縁本体２の内側に脱着可能に嵌め込まれた内容物３と、額縁本体２に取り付けられ内容物３の裏面を押えるトンボ等の裏面押え体（図示せず）とを備えている。
【００１６】
そして、額縁１は、複数、すなわち例えば左右２つの額縁用の吊り具（吊カン）５と、可撓性の線状部材である紐状部材６とによって、例えば室内の壁面に吊り下げられている。すなわち、額縁本体２の左右両側の所望位置に固定解除可能に固定された吊り具５に挿通した紐状部材６の上部が、室内の壁面のフック（図示せず）に引っ掛けられている。なお、紐状部材６は、例えば吊紐やワイヤー等である。
【００１７】
内容物３は、透明なガラス製等の表板と、木製等の裏板と、これら表板および裏板にて挟持された作品（写真や絵等）とを有している。
【００１８】
額縁本体２は、図１および図６等に示されるように、各辺に沿ったそれぞれ長手状をなす上下左右４つの溝部７と、この蟻溝状の各溝部７に額縁本体２の内側に向かって突設され内容物３の表面端部を支持する湾曲板状の表面支持部８とを有している。
【００１９】
溝部７は、額縁１の裏面方向（図１では、上方向）に向かって開口する断面略Ｃ字状をなすものである。溝部７は、額縁１の表面側に位置する細長い矩形板状の溝底板11を有している。溝底板11の短手方向両端部には、細長い矩形板状の溝側板12が溝底板11と直交するように一体に立設されている。各溝側板12の先端部には、細長い矩形板状の溝天板13が溝底板11と離間対向する側である内方に向かって突出しかつ溝側板12と直交するように一体に設けられている。つまり、各溝側板12の先端部から溝天板13が互いに対向する側に向かって突出している。
【００２０】
そして、互いに離間対向する対をなす溝天板13間に、溝部７の長手方向に沿ったスリット状の開口部14が形成されている。つまり、スリット状の開口部14を介して両溝天板13が互いに離間対向しており、その開口部14が溝内空間部15に連通している。
【００２１】
吊り具５は、額縁１を吊り下げる際に紐状部材６とともに用いられるものであって、例えば弾性変形可能な合成樹脂によってやや長手状に一体に形成され、その長手方向の中央位置で折り畳み可能となっている。
【００２２】
吊り具５は、図１ないし図３等に示されるように、額縁１の溝部７の一方側部分、すなわち例えば開口部14を介して互いに離間対向する両溝天板13のうちの一方側の溝天板（額縁本体２の内側に位置する溝天板）13に解除可能に圧着固定される本体部21と、この本体部21に対して回動中心線Ｘを中心として回動可能となっており、額縁１の溝部７の他方側部分、すなわち例えば開口部14を介して互いに離間対向する両溝天板13のうちの他方側の溝天板（額縁本体２の外側に位置する溝天板）13に解除可能に圧着固定される回動操作部22とを備えている。
【００２３】
つまり、額縁１の溝部７に対する吊り具５の着脱の際に使用者である操作者によって回動操作される回動操作部22は、回動中心線Ｘに沿って位置する長手状の折り曲げ可能な凹溝状の折曲部23を介して、本体部21の長手方向一端部に回動可能に設けられている。なお、折曲部23は、弾性変形しやすいように、本体部21および回動操作部22に比べて薄肉状に形成されている。
【００２４】
そして、回動操作部22の本体部21に対する一方向（ロック方向）への回動（１８０度回動）に基づいて回動操作部22が本体部21に圧着すると、本体部21が額縁１の溝部７の一方側部分に固定されるとともに回動操作部22が額縁１の溝部７の他方側部分に固定され、かつ、回動操作部22の本体部21に対する他方向（ロック解除方向）への回動（１８０度回動）に基づいて回動操作部22の本体部21への圧着が解除されると、それら本体部21および回動操作部22の溝部７の両側部分への固定が解除されるようになっている。なお、以下の説明では、額縁１の裏面方向を「上方向」とし、額縁１の表面方向を「下方向」として説明する。
【００２５】
ここで、本体部21は、溝部７の長手方向に長手方向を有する矩形板状の本体板26を有している。本体板26の中央部には、本体板26の長手方向に沿ったスリット状の貫通孔27が本体板26の上下面に貫通して形成されている。本体板26の下面は、溝部７の一方側の溝天板13の上面上に載置される。
【００２６】
本体板26の短手方向一端部には、溝部７の長手方向に長手方向を有する矩形板状の固定板（下方突出部）28が本体板26と直交するように一体に設けられており、この固定板28は本体板26の短手方向一端部から下方に向かって突出している。
【００２７】
そして、固定板28は、溝部７の一方側の溝天板13の先端面（開口部14に臨んだ面）に解除可能に圧着固定される溝側固定面29を一方側の面に有し、回動操作部22の固定板42の圧着面40が面状に圧着する平面状の被圧着面30を反対側である他方側の面に有している。また、固定板28の溝側固定面29の下部には、溝部７の一方側の溝天板13の下面に当接係合する長手状で凸状の抜止部分31が一体に突設されている。そして、この抜止部分31の上面と本体板26の下面との間に、溝部７の溝天板13が嵌入される。
【００２８】
本体板26の短手方向他端部には、溝部７の長手方向に長手方向を有する湾曲板状の紐状部材取付板33が本体板26に滑らかに連続するように一体に設けられており、この紐状部材取付板33は本体板26の短手方向他端部から上方に向かって突出している。
【００２９】
そして、紐状部材６が脱着可能に取り付けられる紐状部材取付部分である紐状部材取付板33の中央部には、紐状部材６が挿通される挿通孔34が紐状部材取付板33の上下面に貫通して形成されている。
【００３０】
回動操作部22は、溝部７の長手方向に長手方向を有する矩形板状の回動板41を有している。回動板41は、本体部21の本体板26の長辺方向一端部に、回動板41および本体板26に比べて薄肉状に形成された折曲部23を介して上下方向に回動可能に設けられている。つまり、回動板41は、本体板26に対して回動中心線Ｘ（折曲部23）を中心として１８０度回動可能となっている。回動板41の下面は、溝部７の一方側の溝天板13の上面上に載置される。
【００３１】
回動板41の短手方向一端部には、溝部７の長手方向に長手方向を有する矩形板状の固定板（上方突出部）42が回動板41と直交するように一体に設けられており、この固定板42は回動板41の短手方向一端部から上方に向かって突出している。
【００３２】
そして、固定板42は、本体部21の固定板28の被圧着面30に面状に摺接して圧着する平面状の圧着面40を一方側の面に有し、溝部７の他方側の溝天板13の先端面（開口部14に臨んだ面）に解除可能に圧着固定される溝側固定面43を反対側である他方側の面に有している。
【００３３】
この溝側固定面43は、上下方向（略上下方向を含む）に沿って位置する固定面部43aと、この固定面部43aの上端部に連設され固定板42の厚さ寸法が上方側に向かって徐々に減少するように上下方向に対して傾斜した傾斜状の案内面部43bとを有している。そして、案内面部43bのうち本体部21側の端部分のみが、固定板42の厚さ寸法が本体部21側に向かって徐々に減少するように傾斜している。このため、固定板42は、本体部21の固定板28の被圧着面30と溝部７の他方側の溝天板13の先端面との間の隙間14aに入り込みやすくなっている。
【００３４】
なお、回動板41の短手方向他端部は、自由端部44となっている。また、固定板42の圧着面40の面積は、固定板28の被圧着面30の面積と同一（略同一を含む）である。
【００３５】
また、回動板41のうち本体板26側とは反対側の長手方向端部には、回動板41の短手方向に長手方向を有する矩形板状の突出板46が回動板41と直交するように一体に設けられており、この突出板46は回動板41の長手方向端部から上方に向かって突出している。
【００３６】
突出板46の外面における下端部には、回動操作部22を本体部21に対して他方向へ回動させる際に、つまり吊り具５の固定解除の際に操作者が指を掛ける長手状で凸状の指掛部分47が一体に突設されている。なお、回動板41の突出板46側の長手方向端部には、指掛部分47の長手方向に沿ったスリット状の貫通孔48が回動板41の上下面に貫通して形成されている。
【００３７】
また、突出板46の内面における上端部には、突出板46の長手方向に長手状で凸状の係合部分51が一体に突設されている。そして、本体部21の本体板26の長辺方向他端部の下面側には、回動操作部22の係合部分51と係脱可能に係合して回動操作部22の本体部21に対する他方向への回動を規制する凹状の係合受け部分52が凹設されている。
【００３８】
回動操作部22の係合部分51は、例えば回動操作部22の本体部21に対する一方向への回動によって係合受け部分52に嵌まり込む形状に形成されている。つまり、係合部分51は、係合受け部分52に対して嵌脱可能となっている。
【００３９】
次に、吊り具５の作用等を説明する。
【００４０】
作品を含む内容物３を額縁本体２の内周に取り付けた額縁１を吊り下げる場合、まず、吊り具５を額縁本体２の左右両側の溝部７の所望位置に固定的に取り付ける。
【００４１】
すなわち、図４（ａ）および（ｂ）に示すように、吊り具５を展開状態のまま、本体部21の固定板28を開口部14から溝部７内に挿入することにより、回動板41の下面および本体板26の下面を溝部７の一方側の溝天板13の上面に当接させるとともに、抜止部分31を溝部７の一方側の溝天板13の下面に当接させ、かつ、その一方側の溝天板13の先端面に固定板28の溝側固定面29を当接させる。つまり、本体部21の一部を溝部７内に挿入して、吊り具５を溝部７にこの溝部７に沿ってスライド可能に装着する。
【００４２】
そして、溝部７に対する吊り具５の位置調整後、図５（ａ）および（ｂ）に示すように、使用者である操作者は、折曲部23を折り曲げることにより、本体部21と回動操作部22とが重なり合うように吊り具５を折り畳む。つまり、折曲部23を弾性変形させつつ、回動操作部22を本体部21に対して一方向に１８０度回動させる。
【００４３】
すると、回動操作部22の固定板42が本体部21の固定板28の被圧着面30と溝部７の他方側の溝天板13の先端面との間の隙間（開口部14の一部）14aに入り込んで、回動操作部22の固定板42の圧着面40が本体部21の固定板28の被圧着面30に圧着するとともに、回動操作部22の係合部分51が本体部21の係合受け部分52と嵌合して係合する。
【００４４】
また同時に、本体部21の固定板28の溝側固定面29が溝部７の一方側の溝天板13の先端面に圧着固定されるとともに、回動操作部22の固定板42の溝側固定面43が溝部７の他方側の溝天板13の先端面に圧着固定される。
【００４５】
このようにして、吊り具５が額縁１の額縁本体２の左右両側の溝部７の所望位置に固定される。
【００４６】
次いで、図６に示すように、左右の吊り具５の本体部21の紐状部材取付板33に紐状部材６を取り付け、この紐状部材６の上部を例えば図示しない壁面の凸状のフックに引っ掛ける。こうして、２つの吊り具５と１本の紐状部材６とによって額縁１が室内の壁面に吊り下げられる。
【００４７】
また、例えば吊り具５の溝部７に対する固定位置を変える場合や、吊り具５を溝部７から取り外す場合等には、操作者は、指を回動操作部22の指掛部分47に掛けて、この回動操作部22を本体部21に対して他方向に回動させ、係合部分51と係合受け部分52との嵌合を解除する。
【００４８】
すると、回動操作部22の固定板42が本体部21の固定板28の被圧着面30と溝部７の他方側の溝天板13の先端面との間の隙間14aから上方へ脱出して、圧着面40の被圧着面30への圧着が解除される。
【００４９】
また同時に、溝部７の一方側の溝天板13の先端面に対する溝側固定面29の圧着固定が解除されるとともに、溝部７の他方側の溝天板13の先端面に対する溝側固定面43の圧着固定が解除される。
【００５０】
そして、このような吊り具５によれば、回動操作部22の一方向への回動に基づいて回動操作部22が本体部21に圧着すると、これら本体部21および回動操作部22が額縁１の溝部７に固定され、また回動操作部22の他方向への回動に基づいて回動操作部22の本体部21への圧着が解除されると、額縁１の溝部７に対する本体部21および回動操作部22の固定が解除されるため、従来とは異なり例えばドライバー等の工具を使用することなく、吊り具５を額縁１の溝部７に容易に固定できるとともに、その固定を容易に解除できる。
【００５１】
また、回動操作部22は、操作者が指を掛ける凸状の指掛部分47を有するため、回動操作部22を本体部21に対して他方向へ回動させる際に、工具レスで回動操作部22を容易に回動させることができ、操作性が良好である。
【００５２】
さらに、回動操作部22は凸状の係合部分51を有し、本体部21は係合部分51との係合により回動操作部22の他方向への回動を規制する凹状の係合受け部分52を有するため、回動操作部22の本体部21への圧着状態を適切に維持でき、被圧着面30に対する圧着面40の圧着が不本意に解除されるのを防止できる。
【００５３】
なお、吊り具５は、折曲部23を備えた構成には限定されず、例えば回動操作部22が本体部21に回動中心軸を介して回動可能に設けられた構成等でもよい。
【００５４】
また、回動操作部22の指掛部分47は、凸状ではなく、例えば凹状や、凹凸状等でもよい。
【００５５】
さらに、本体部21の貫通孔27および回動操作部22の貫通孔48は、必ずしも必要ではない。
【００５６】
また、本体部21が紐状部材取付部分を有した構成には限定されず、例えば回動操作部22が紐状部材取付部分を有した構成や、本体部21および回動操作部22の両方が紐状部材取付部分を有した構成等でもよい。
【００５７】
さらに、紐状部材取付部分は、挿通孔34を有するものには限定されず、例えば紐状部材６を引っ掛けることが可能なフック部を有するもの等でもよい。
【００５８】
また、図６の使用状態は一例であり、例えば１つの吊り具５を額縁本体２の上側の溝部７の所望位置に固定し、この固定した吊り具５に紐状部材６を取り付けて使用する場合や、その固定した吊り具５を壁面のフックに直接引っ掛けて使用する場合等もある。
【符号の説明】
【００５９】
１    額縁
５    吊り具
７    溝部
21    本体部
22    回動操作部
23    折曲部
47    指掛部分
51    係合部分
52    係合受け部分
【図１】
2014121433.tif 000003
【図２】
2014121433.tif 000004
【図３】
2014121433.tif 000005
【図４】
2014121433.tif 000006
【図５】
2014121433.tif 000007
【図６】
2014121433.tif 000008